(57)【要約】【課題】様々な形状・大きさの屋根に対し、専用防水部材を用いることなく、太陽電池パネルと屋根材との段差を最小限に抑えることで、耐風性・耐鳥害性・意匠性を向上させること。【解決手段】野地板１１と、野地板１１上に配置された化粧スレート２０及び波板３０と、設置領域１１Ａ上方にパネル取付具４０を介して取り付けられた太陽光電池パネル８０と、非設置領域１１Ｂ上方にカバー取付具５０を介して取り付けられたカバー部材６０とを具備し、カバー部材６０は、カバー取付具５０により高さ調整可能に設けられた下地ベース６１と、下地ベース６１を覆う防水カバー６５とを備えている。【選択図】図２
2016050430.tif 000002
【特許請求の範囲】
【請求項１】
野地板と、
この野地板上に配置された屋根材と、
この屋根材の一部である設置領域上方にパネル取付具を介して取り付けられた太陽光電池パネルと、
前記屋根材の前記所定領域以外である非設置領域上方にカバー取付具を介して取り付けられたカバー部材とを具備し、
前記カバー部材は、前記カバー取付具により高さ調整可能に設けられた下地ベースと、
この下地ベースを覆う防水カバーとを備えていることを特徴とする屋根構造。
【請求項２】
前記屋根材は、波板であることを特徴とする請求項１に記載の屋根構造。
【請求項３】
前記カバー取付具は、前記野地板に対する前記防水カバーの上面の高さ位置と前記太陽光電池パネルの上面の高さ位置とを一致可能に形成されていることを特徴とする請求項１に記載の屋根構造。
【請求項４】
前記屋根材は、前記設置領域と前記非設置領域とで異なるものが用いられることを特徴とする請求項１に記載の屋根構造。
【発明の詳細な説明】
【技術分野】
【０００１】
本発明は、耐風性、耐鳥害性及び意匠性に優れた屋根構造に関する。
【背景技術】
【０００２】
住宅の屋根の野地板Ｎに太陽光電池パネルを設置する場合、図８に示すように、太陽光電池パネルＰを屋根材Ｙ上に取付金具を介して固定することとなる。このため、太陽光電池パネルＰの設置部分と非設置部分とで数センチ〜十数センチ程度の段差Ｄが発生する。この段差Ｄのため、強風時に太陽光電池パネルＰが持ち上げられて太陽光電池パネルＰが故障したり、屋根材Ｙが破損して雨漏りが発生する虞がある。また、段差Ｄの部分から野鳥が入り込み、巣を作ったりして、騒音や糞害が生ずる虞がある。さらに、美観が損なわれるという問題もある。
【０００３】
このため、太陽光電池パネルの面積や形状に合わせて、専用防水部材を用いて屋根全体で大きな段差が生じない一体構造を有する屋根構造が提案されている。
【先行技術文献】
【特許文献】
【０００４】
【特許文献１】特開２００６−２７４５５１号公報
【発明の概要】
【発明が解決しようとする課題】
【０００５】
上述した屋根構造では、次のような問題があった。すなわち、規格化された屋根形状であれば専用防水部材を用いることができるが、実際には屋根の形状や大きさは様々であり、専用防水部材を用いることができない場合がある。
【０００６】
そこで本発明は、様々な形状・大きさの屋根に対し、専用防水部材を用いることなく、太陽電池パネルと屋根材との段差を最小限に抑えることで、耐風性・耐鳥害性・意匠性を向上させることができ、落葉等のゴミも入らない屋根構造を提供することを目的としている。
【課題を解決するための手段】
【０００７】
前記課題を解決し目的を達成するために、本発明の屋根構造は次のように構成されている。
【０００８】
野地板と、この野地板上に配置された屋根材と、この屋根材の一部である設置領域上方にパネル取付具を介して取り付けられた太陽光電池パネルと、前記屋根材の前記所定領域以外である非設置領域上方にカバー取付具を介して取り付けられたカバー部材とを具備し、前記カバー部材は、前記カバー取付具により高さ調整可能に設けられた下地ベースと、この下地ベースを覆う防水カバーとを備えていることを特徴とする。
【発明の効果】
【０００９】
本発明によれば、様々な形状・大きさの屋根に対し、専用防水部材を用いることなく、太陽電池パネルと屋根材との段差を最小限に抑えることで、耐風性・耐鳥害性・意匠性を向上させることができ、また落葉等のゴミも入らない構造を提供できる。
【図面の簡単な説明】
【００１０】
【図１】本発明の第１の実施の形態に係る屋根構造を示す斜視図。
【図２】同屋根構造の要部を示す縦断面図。
【図３】本発明の第２の実施の形態に係る屋根構造の要部を示す縦断面図。
【図４】本発明の第３の実施の形態に係る屋根構造の要部を示す縦断面図。
【図５】本発明の第４の実施の形態に係る屋根構造の要部を示す縦断面図。
【図６】本発明の第５の実施の形態に係る屋根構造の要部を示す縦断面図。
【図７】本発明の第６の実施の形態に係る屋根構造の要部を示す縦断面図。
【図８】太陽電池パネルが設けられた屋根構造の一例を示す縦断面図。
【発明を実施するための形態】
【００１１】
図１は本発明の第１の実施の形態に係る屋根構造１０を示す斜視図、図２は同屋根構造の要部を示す縦断面図である。
【００１２】
屋根構造１０は、建物構造体Ｈ上に設けられている。屋根構造１０は、破風板Ｉ・垂木Ｊの上部を形成する野地板１１を備えている。野地板１１は、後述する太陽光発電パネル８０が設置される領域１１Ａと、それ以外の非設置領域１１Ｂとに分けられる。
【００１３】
野地板１１の設置領域１１Ａ上には平板状の化粧スレート２０が取り付けられ、非設置領域１１Ｂ上には例えば樹脂製等の波板３０が取り付けられている。なお、図２中２１は防水シール、２１ａは水切りである。波板３０は、その谷を上方から下方に向けて配置されている。化粧スレート２０上方にはパネル取付具４０を介して太陽光発電パネル８０が取り付けられている。また、波板３０の上部には、カバー取付具５０を介してカバー部材６０が取り付けられている。さらに、非設置領域１１Ｂの端部には水切部７０が設けられている。
【００１４】
パネル取付具４０は、屋根材と太陽光電池パネル８０とを一定距離離間させて取り付けるものである。
【００１５】
カバー取付具５０は、波板３０の山３つ分の幅を有する平板部５１と、この平板部５１の水平方向両端部に設けられ、谷に沿う固定部５２と、平板部５１上に設けられ、カバー部材６０を固定するブラケット部５３とを備えている。平板部５１は、ビス５４によって波板３０の山部に止め付けられている。山部に止め付けられることで、ビス５４を伝わって雨水が野地板１１上に浸入することはない。
【００１６】
カバー部材６０は、平板状の下地ベース６１と、この下地ベース６１の両端に設けられ、下地ベース６１に固定された支柱６２と、この支柱６２にその垂直面６３ａが取り付けられたＬ字金具６３と、このＬ字金具６３の水平面６３ｂに取り付けられた金具６４と、下地ベース６１全体を覆う防水カバー６５とを備えている。
【００１７】
Ｌ字金具６３の垂直面６３ａは、支柱６２と比べて、高さが短く、支柱６２の取付位置によっても高さ調整が可能である。防水カバー６５は例えば金属材製であり、サイドが垂れ下がっており、水切部７０との隙間が小さい。このため、鳥害に有効である。
【００１８】
カバー部材６０は、野地板１１の形状・寸法と、太陽光発電パネル８０の大きさで決まる設置領域１１Ａとの差分である非設置領域１１Ｂの形状・大きさに合わせて形成される。
【００１９】
金具６４は、ブラケット部５３の溝部５３ａに挿脱可能に設けられたプレート６４ａと、このプレート６４ａとＬ字金具６３の水平面６３ｂを結合するためのボルト６４ｂ及びナット６４ｃとを備えている。
【００２０】
水切部７０は、野地板１１の上下方向に延びる登り淀７１と、基端部７２ａが波板３０の下面に配置され、この登り淀７１を覆い、その先端部７２ｂが破風板Ｉの外側に位置するように設けられた水切部材７２とを備えている。
【００２１】
このような屋根構造１０では、太陽光発電パネル８０を設置する際、太陽光発電パネル８０の形状・寸法に合わせて野地板１１の設置領域Ａを定める。次に設置領域Ａに化粧スレート２０を葺く。次に、化粧スレート２０の周囲に防水シール２１及び水切り２１ａを施す。次に、非設置領域Ｂに波板３０を葺く。次に、カバー部材６０の大きさに合わせて、カバー取付具５０を設置する。次に、カバー部材６０をボルト６４ｂ及びナット６４ｃを用いてカバー取付具５０に固定する。その際、野地板１１に対するカバー部材６０の上面の高さ位置と太陽光電池パネル８０の上面の高さ位置を一致させるために、プレート６４ａを溝部５３ａの適切な位置に挿入する。また、溝部５３ａに沿ってプレート６４ａを適切な位置へ移動させてもよい。
【００２２】
上述したように、本実施の形態に掛かる屋根構造１０によれば、太陽光発電パネル８０と屋根材との段差を解消することができる。また、その際、様々な形状・大きさの屋根に対し、専用防水部材を用いる必要がない。これにより、強風時に太陽光電池パネルが持ち上げられて太陽光電池パネル８０が故障したり、屋根材が破損して雨漏りが発生したり、段差の部分から野鳥が入り込み、巣を作ったりして、騒音や糞害が生ずることを防止できる。さらに、屋根上の一体感が生まれ、美観が生じる。このように、耐風性・耐鳥害性・意匠性を向上させることができる。また、落葉等のゴミも入らないため、清浄に保つことができる。
【００２３】
図３は本発明の第２の実施の形態に係る屋根構造１０Ａの要部を示す縦断面図である。なお、図３において、図１，２と同一機能部分には同一符号を付し、その詳細な説明は省略する。
【００２４】
屋根構造１０Ａにおいては、化粧スレート２０の代わりに波板３０を設置したものである。上述した屋根構造１０と同様の効果が得られると共に、化粧スレート２０と波板３０との隙間が無いため、防水性を向上させることができる。
【００２５】
図４は本発明の第３の実施の形態に係る屋根構造１０Ｂの要部を示す縦断面図である。なお、図３において、図１，２と同一機能部分には同一符号を付し、その詳細な説明は省略する。
【００２６】
屋根構造１０Ｂにおいては、カバー部材６０が細長い場合を示している。この場合は、カバー取付具５０を水平方向について１個のみ設ける。上述した屋根構造１０と同様の効果が得られると共に、部品コストを低減することができる。
【００２７】
図５は本発明の第４の実施の形態に係る屋根構造１０Ｃの要部を示す縦断面図である。なお、図３において、図１，２と同一機能部分には同一符号を付し、その詳細な説明は省略する。
【００２８】
屋根構造１０Ｃにおいては、非設置領域１１Ｂに葺く屋根材として金属屋根材９０を用いた。さらに、金属屋根材９０に波形金具５５を設け、その上にカバー取付具５０を設置し、カバー部材６０を取り付けた。上述した屋根構造１０と同様の効果が得られると共に、多様な屋根材にも適用することができる。
【００２９】
図６は本発明の第５の実施の形態に係る屋根構造１０Ｄの要部を示す縦断面図である。なお、図３において、図１，２と同一機能部分には同一符号を付し、その詳細な説明は省略する。
【００３０】
屋根構造１０Ｄにおいては、波板３０の代わりに化粧スレート２０を設置したものである。また、化粧スレート２０上に波形金具５５を設け、その上にカバー取付具５０を設置し、太陽光発電パネル８０及びカバー部材６０を取り付けた。上述した屋根構造１０と同様の効果が得られると共に、化粧スレート２０と波板３０との隙間が無いため、防水性を向上させることができる。
【００３１】
図７は本発明の第６の実施の形態に係る屋根構造１０Ｅの要部を示す縦断面図である。なお、図３において、図１，２と同一機能部分には同一符号を付し、その詳細な説明は省略する。
【００３２】
屋根構造１０Ｅは、垂木Ｊ上に設けられている。屋根構造１０Ｅは、建物構造体Ｈの上部を形成する野地板１１を備えている。野地板１１は、太陽光発電パネル８０が設置される領域１１Ａと、それ以外の非設置領域１１Ｂとに分けられる。
【００３３】
野地板１１の設置領域１１Ａ上には波板３０が取り付けられ、非設置領域１１Ｂ上には波板３０の上端部３１と、この上端部３１の上側にその下端部９１を重ねた金属屋根材９０が設けられている。なお、金属屋根材９０は、水切部７０の水切部材７２と一体化されている。波板３０は、その谷を上方から下方に向けて配置されている。
【００３４】
波板３０上方には太陽光発電パネル８０がパネル取付具を兼ねたカバー取付具５０を介して取り付けられている。また、金属屋根材９０の上には、波形金具５５が取り付けられ、カバー取付具５０を介してカバー部材６０が取り付けられている。なお、カバー部材６０は、太陽光電池パネル８０が取り付けられた下方のカバー取付具５０にも取り付けられている。
【００３５】
さらに、非設置領域１１Ｂの上端部には水切部７０が設けられ、さらに水切部７０は隣接する屋根材１１０と一体的に棟部１００に覆われている。なお、図７中７５は桟木を示している。棟部１００は、ぬき１０１と、ぬき１０１を覆う水切板１０２とを備えている。水切板１０２の先端は金属屋根材９０の上方に位置している。
【００３６】
このような屋根構造１０Ｅでは、上述した屋根構造１０と同様の効果を得ることができる。
【００３７】
なお、本発明は前記実施の形態に限定されるものではなく、この他、本発明の要旨を逸脱しない範囲で種々変形実施可能であるのは勿論である。
【符号の説明】
【００３８】
１０，１０Ａ〜１０Ｅ…屋根構造、２０…化粧スレート、３０…波板、４０…パネル取付具、５０…カバー取付具、５５…波形金具、６０…カバー部材、７０…水切部、８０…太陽光電池パネル、９０…金属屋根材、１００…棟部、Ｈ…建物構造体、Ｉ…破風板、Ｊ…垂木。
【図１】
2016050430.tif 000003
【図２】
2016050430.tif 000004
【図３】
2016050430.tif 000005
【図４】
2016050430.tif 000006
【図５】
2016050430.tif 000007
【図６】
2016050430.tif 000008
【図７】
2016050430.tif 000009
【図８】
2016050430.tif 000010